(57)【特許請求の範囲】
【請求項１】
脱ぷ部（Ａ）からの摺落物を風選する風選部（Ｂ）の側部に、籾を脱ぷ部（Ａ）に供給する籾揚上機（１）と混合米を選別部（Ｃ）に供給する混合米揚上機（２）を並設し、風選部（Ｂ）で風選された混合米を取出す混合米横送樋（３）を側方に延出し前記籾揚上機（１）脇を通過させて混合米揚上機（２）に連通し、その混合米横送樋（３）の混合米揚上機（２）に至る前箇所（Ｘ）において籾揚上機（１）への混合米の供給切替手段（Ｙ）を設けたことを特徴とする籾摺機における摺り詰め装置。
【請求項２】
混合米の供給切替手段（Ｙ）として、混合米横送樋（３）に内装するコンベヤ（４）の前記前箇所（Ｘ）に相当する部分を欠如し、混合米横送樋（３）を籾揚上機（１）に連通する状態と遮断状態とに切替える切替弁（５）を設けたものにした請求項１．記載の籾摺機における摺り詰め装置。
【発明の詳細な説明】
【０００１】
【産業上の利用分野】
本発明は、脱ぷ部と脱ぷ部からの摺落物を風選する風選部と風選部によって風選された玄米と籾の混合米を選別する選別部とからなる籾摺機において、籾摺作業の終了時における摺り詰め装置に関するものである。
【０００２】
【従来の技術】
従来、籾摺作業終了時の摺り詰め対策としては、混合米を選別する選別部を経てから混合米取出樋によって取出されるものを籾還元樋に切替えるか、または、玄米取出樋から取出されるものまでも籾還元樋に切替えるなどして脱ぷ部に供給して籾としての残量を極く少量にしていたのである。しかし、いずれにしても選別部を通過してからのもの、つまり、脱ぷ部に還元して脱ぷしようとするものが選別部という迂回経路を辿るから摺り詰めに要する処理時間が長くかかっていたのである。
【０００３】
【発明が解決しようとする課題】
本発明は、上記の従来のもののように、摺落物を風選したものを選別部に供給して選別するという迂回経路を辿ることなく風選したものを直ちに脱ぷ部に還元するようにして作業終了時の終結に至るまでの処理時間の短縮をはかるを目的として創案されたものである。
【０００４】
【課題を解決するための手段】
そこで、この発明のものは、脱ぷ部からの摺落物を風選する風選部の側部に、籾を脱ぷ部に供給する籾揚上機と混合米を選別部に供給する混合米揚上機を並設し、風選部で風選された混合米を取出す混合米横送樋を側方に延出し前記籾揚上機脇を通過させて混合米揚上機に連通し、その混合米横送樋の混合米揚上機に至る前箇所において籾揚上機への混合米の供給切替手段を設けたことを特徴とするものである。
【０００５】
【作用】
これにより、籾は籾揚上機により脱ぷ部に供給されて脱ぷされ、その摺落物は風選部で風選されて籾殻等の塵埃および粃類は機外に排出されながら玄米と籾の混合米は混合米横送樋により横送されて混合米揚上機により選別部に揚上供給され玄米と籾に選別され、選別された玄米は機外に取出されるとともに籾は脱ぷ部に還元されて再脱ぷされるようになり、選別されない未選別状態の混合米は選別部に返されて再選別されるという籾摺作業が行われるのである。
【０００６】
このように、籾摺作業において風選後の混合米は混合米横送樋により混合米揚上機に横送りして揚上し選別部に供給して選別しているのであるが、籾摺作業の終了時には混合米横送樋により横送りしている混合米を混合米揚上機に至る前箇所に設けた供給切替手段の切替えによって籾揚上機がわに送りこの揚上機で直ちに脱ぷ部に還元するようになる。つまり、脱ぷ部と風選部のみを循環させて脱ぷ作用を繰り返すことによって摺り詰め処理は速やかに終結するようになる。
【０００７】
【実施例】
以下、この発明を実施例図にしたがって説明するのであるが、先ず、この籾摺機の全体の概要を記載すると、この籾摺機は枠台（６）上に脱ぷ部（Ａ）と風選部（Ｂ）と揺動式の選別部（Ｃ）および籾揚上機（１）と混合米揚上機（２）と玄米揚上機（７）等を備えて一体的に組成してあって、籾漏斗（８）に投入される籾は籾揚上機（１）により籾貯留タンク（９）に揚上され脱ぷロ−ル（１０）により脱ぷされて摺落物は混合米風選路（１１）に落下し風選されて、籾殻は吸引排塵ファン（１２）に吸引され排塵筒（１３）から機外に排出され粃類は粃樋（１４）内に集合して機外に排出され、玄米と籾の混合米は混合米横送樋（３）内を横送りされ混合米揚上機（２）によって混合米貯留タンク（１５）に揚上され、この混合米貯留タンク（１５）から揺動式の移送樋（１６）により搬送されて数段に積み重ねた各揺動選別板（１７）に分配供給され、その揺動作用により揺上側に玄米を揺下側に籾を中間部に混合米がそれぞれ選出されて３種に選別され、選別された玄米は玄米口（１８）から玄米受室（１９）に落下し受樋（２０）を経て玄米揚上機（７）により機外に取出され、混合米は混合米口（２１）から落下し流穀板（２２）を流下して混合米横送樋（３）内に流入し横送りされて混合米揚上機（２）により混合米貯留タンク（１５）に返されて再選別され、籾は籾口（２３）から落下して籾受室（２４）に入りこの受室（２４）から還元横送樋（２５）を横送りされて籾揚上機（１）により籾貯留タンク（９）に返され再脱ぷされるようになっている。
【０００８】
尚、前記の粃樋（１４）に集合されたものの機外への排出は揚上筒（２６）によるものにし、その揚上筒（２６）上部の排出がわは二又に分岐されその分岐部に切替弁が設けられて各排出口（２７）（２７）を機外と前記籾受室（２４）に向けて、切替弁の切替えにより機外排出か籾受室（２４）に落下させるかどちらか選択できるようにしてある。また、（Ｍ１）は脱ぷ部（Ａ）と風選部（Ｂ）と籾揚上機（１）と混合米揚上機（２）等の各回転部を駆動する電動モ−タ、（Ｍ２）は揺動式の選別部（Ｃ）の揺動駆動と玄米揚上機（７）の回転部等を駆動する電動モ−タである。
【０００９】
次に、前記の揺動選別板（１７）の揺上側に選出された玄米が集合されて落下する玄米口（１８）の下方に相当する機壁部分には外気を吸入する吸気口（２８）が開設され、この吸気口（２８）と前記混合米横送樋（３）に至る間には吸気口（２８）から機内を横方向に向かったのち吸引排塵ファン（１２）がわに向け折曲して平面視でＬ形の吸引風路（２９）が形成され、この吸引風路（２９）の下流側は前記混合米風選路（１１）から吸引排塵ファン（１２）の吸入側に連通している。
【００１０】
そして、吸引風路（２９）の吸気口（２８）付近、つまり、吸引風路（２９）の始端部分の上方には前記の玄米受室（１９）が位置してこの受室（１９）により前記玄米口（１８）から落下する玄米を一旦受けて、該受室（１９）内に斜設する整流板（３０）により吸引風路（２９）の始端部分に落下させ玄米を仕上げ風選し受樋（２０）を経て玄米揚上機（７）によって機外に取出すようにしている。
【００１１】
また、前記の籾受室（２４）から籾揚上機（１）に籾を横送りする還元横送樋（２５）は、筒状にしてコンベヤ（３１）が内装され機体の横方向に横設されたもので、吸引風路（２９）中でこの風路（２９）を横切るように直交状態に設けられているのである。そして、この吸引風路（２９）中の還元横送樋（２５）の部分は目抜き、または、網にして吸引風路（２９）を吹流する風が樋（２５）内に吹き込むようにしてあって、籾口（２３）から落下する籾は籾受室（２４）から還元横送樋（２５）を通って籾揚上機（１）に横送りされ揚上ののち再脱ぷされるのであるが、還元横送樋（２５）は目抜き鉄板または網で構成されていて吸引風路（２９）を吹流する風が樋（２５）内に吹き込み横送り中の籾に対して樋内中央がわに吹き寄せる作用が働きコンベヤ（３１）による横送り作用が助長され、また、還元横送樋（２５）内で移送中に発生する塵埃は目抜き穴または網目から落下して吸引風路（２９）を吹流する風により機外に排出されるのである。
【００１２】
前記の籾揚上機（１）は摺落物を風選する風選部（Ｂ）の側部に立設され、その籾揚上機（１）の外側に混合米揚上機（２）が並設されて混合米を混合米貯留タンク（１５）に揚上するのである。また、風選後の混合米を横送りする混合米横送樋（３）は機体の側方に向けて延出し籾揚上機（１）の脇を通過して混合米揚上機（２）の下部に樋（３２）を介して連通している。
【００１３】
そして、この混合米横送樋（２）の籾揚上機（１）の脇を通過する部分、即ち、混合米揚上機（２）に至る前箇所（Ｘ）に相当する部分には流出口（３３）を開口し、この流出口（３３）部を樋（３４）により籾揚上機（１）の下部に連通し、流出口（３３）部には混合米揚上機（２）がわに横送りしている混合米を籾揚上機（１）に供給するところの供給切替手段（Ｙ）が設けられている。即ち、この供給切替手段（Ｙ）は、混合米横送樋（３）に内装するコンベヤ（４）の流出口（３３）に相当する部分を欠如するとともに、流出口（３３）を開閉して籾揚上機（１）に連通する状態と遮断状態に切替る切替弁（５）を設けたものである。
【００１４】
これによって、籾摺作業にあっては、混合米横送樋（３）を横送りされる混合米は籾揚上機（１）の脇を通過して混合米揚上機（２）により混合米貯留タンク（１５）に揚上されて揺動選別板（１７）の揺動作用により選別されるのである。そして、籾摺作業の終了時には供給切替手段（Ｙ）により混合米横送樋（３）を籾揚上機（１）に連通する状態に切替えるのである。そうすると、混合米横送樋（３）を横送りされてくるものは流出口（３３）から樋（３４）を通り籾揚上機（１）の下部に流入して揚上され風選部（Ｂ）から直ちに脱ぷ部（Ａ）に返され、脱ぷ部（Ａ）と風選部（Ｂ）のみを循環するようになって脱ぷ作用が繰り返し行われるようになる。
【００１５】
また、供給切替手段（Ｙ）は混合米横送樋（３）に内装するコンベヤ（４）の流出口（３３）に相当する部分が欠如され、流出口（３３）を開閉する切替弁（５）からなるものであるから、切替弁（５）の切替えによって流出口（３３）が開口されてコンベヤ（４）によって横送りされてくるものがその欠如されていることにより横送り作用が中断し流出口（３３）から出て樋（３４）から籾揚上機（１）の下部に流入するのである。
【００１６】
なお、「図５」に示したものは、籾を脱ぷ部（Ａ）に返す還元横送樋（２５））の他の例図であって、その還元横送樋（２５）の送り終端がわを混合米揚上機（２）の脇まで延長しその延長した樋部分にコンベヤ（３１）と反対巻きにして逆送りするコンベヤ（３５）を内装したのである。この逆送りのコンベヤ（３５）によって横送りされてくる籾が籾揚上機（１）がわに大きく方向変換する際の衝撃を逆送りするコンベヤ（３５）の籾によって緩和するのである。
【００１７】
【発明の効果】
本発明は以上説明したように、脱ぷ部（Ａ）からの摺落物を風選する風選部（Ｂ）の側部に、籾を脱ぷ部（Ａ）に供給する籾揚上機（１）と混合米を選別部（Ｃ）に供給する混合米揚上機（２）を並設し、風選部（Ｂ）で風選された混合米を取出す混合米横送樋（３）を側方に延出し前記籾揚上機（１）脇を通過させて混合米揚上機（２）に連通し、その混合米横送樋（３）の混合米揚上機（２）に至る前箇所（Ｘ）において籾揚上機（１）への混合米の供給切替手段（Ｙ）を設けたことを特徴とするものであるから、籾摺作業の終了時には混合米横送樋（３）により横送りしている混合米を混合米揚上機（２）に至る前箇所（Ｘ）に設けた供給切替手段（Ｙ）の切替えによって籾揚上機（１）がわに送りこの揚上機（１）で直ちに脱ぷ部（Ａ）に還元するようになって、従来のもののように風選部（Ｂ）から選別部（Ｃ）という迂回経路を辿らないものになり脱ぷ部（Ａ）と風選部（Ｂ）のみを循環して脱ぷ作用を繰り返すから、摺り詰め処理は速やかに終結して処理時間が大幅に短縮できるものになる。
【図面の簡単な説明】
【図１】混合米横送樋とその周辺を示す平面図である。
【図２】同側面図である。
【図３】吸引風路の始端部分の側面図である。
【図４】供給切替手段を示す拡大図である。
【図５】還元横送樋の他例のものの平面図である。
【図６】籾摺機全体の正面図である。
【図７】同平面図である。
【符号の説明】
Ａ    脱ぷ部
Ｂ    風選部
Ｃ    選別部
１    籾揚上機
２    混合米揚上機
３    混合米横送樋
４    コンベヤ
５    切替弁
Ｘ    前箇所
Ｙ    供給切替手段
【図１】
0003616437.tif 000002
【図２】
0003616437.tif 000003
【図３】
0003616437.tif 000004
【図４】
0003616437.tif 000005
【図５】
0003616437.tif 000006
【図６】
0003616437.tif 000007
【図７】
0003616437.tif 000008